(57)【要約】【課題】機能性物質を空気中にいったん放出したうえで人体の皮膚等に満遍なく供給することができ、且つ、人体に到達する前に機能性物質が変性することを抑制する。【解決手段】本発明の機能性微粒子放出装置は、機能性微粒子を放出する放出手段を備えた機能性微粒子放出装置である。機能性微粒子は、外界中の少なくとも酸素又はラジカルとの反応を抑制する小胞体に機能性物質を内包したものである。機能性物質は、反応により変性することを抑制しながら空気中を浮遊し、そのうえで人体に付着することにより、人体に効果的に供給される。【選択図】図１
2013116225.tif 000002
【特許請求の範囲】
【請求項１】
機能性微粒子を放出する放出手段を備えた機能性微粒子放出装置であって、前記機能性微粒子は、外界中の少なくとも酸素又はラジカルとの反応を抑制する小胞体に機能性物質を内包したものであることを特徴とする機能性微粒子放出装置。
【請求項２】
前記機能性微粒子は、液体中に混合された状態で前記放出手段に供給され、前記放出手段は、前記機能性微粒子を含む前記液体を、微粒子液として空気中に放出するものであることを特徴とする請求項１に記載の機能性微粒子放出装置。
【請求項３】
前記小胞体は、生体親和性の高い素材からなることを特徴とする請求項１又は２に記載の機能性微粒子放出装置。
【請求項４】
前記小胞体は、表面電荷を有するものであることを特徴とする請求項１〜３のいずれか一項に記載の機能性微粒子放出装置。
【請求項５】
前記小胞体は、温度感受性を有するものであることを特徴とする請求項１〜４のいずれか一項に記載の機能性微粒子放出装置。
【請求項６】
前記小胞体は、ｐＨ感受性を有するものであることを特徴とする請求項１〜５のいずれか一項に記載の機能性微粒子放出装置。
【請求項７】
前記小胞体は、表面を化学修飾されたものであることを特徴とする請求項１〜６のいずれか一項に記載の機能性微粒子放出装置。
【発明の詳細な説明】
【技術分野】
【０００１】
本発明は、アミノ酸等の機能性物質を人体に効果的に供給するための技術に関する。
【背景技術】
【０００２】
生体に対して美容・健康等の作用を及ぼす機能性物質を、経皮的に吸収させようとするものが、従来から知られている。特許文献１等に記載のように、これらの従来技術においては、機能性物質を含むローション、クリーム剤等を皮膚に塗布することが一般的である。
【先行技術文献】
【特許文献】
【０００３】
【特許文献１】特開２００６−１６４０１号公報
【発明の概要】
【発明が解決しようとする課題】
【０００４】
しかし、上記の従来技術においては、経皮的に満遍なく機能性物質を吸収させるためには、ローション等を満遍なく塗布する作業が必要となる。これに対して、機能性物質をいったん空気中に放出し、空気中を浮遊させたうえで人体に供給するという方法も考えられる。しかし、このようにした場合、人体に供給される前に機能性物質が外界の酸素やラジカルとの反応により変性してしまい、機能性物質が本来有する美容・健康効果が発揮され難くなるという問題がある。
【０００５】
本発明は前記問題点に鑑みて発明したものであって、機能性物質を空気中にいったん放出したうえで供給することができ、且つ、人体に到達する前に機能性物質が変性することを抑制することのできる機能性微粒子放出装置を提供することを、課題とする。
【課題を解決するための手段】
【０００６】
前記課題を解決するために本発明の機能性微粒子放出装置を、下記構成を具備したものとする。
【０００７】
本発明の機能性微粒子放出装置は、機能性微粒子を放出する放出手段を備えた機能性微粒子放出装置であって、前記機能性微粒子は、外界中の少なくとも酸素又はラジカルとの反応を抑制する小胞体に機能性物質を内包したものである。
【０００８】
前記機能性微粒子は、液体中に混合された状態で前記放出手段に供給され、前記放出手段は、前記機能性微粒子を含む前記液体を、微粒子液として空気中に放出するものであることが好ましい。
【０００９】
前記小胞体は、生体親和性の高い素材からなることが好ましい。
【００１０】
前記小胞体は、表面電荷を有するものであることも好ましい。
【００１１】
前記小胞体は、温度感受性を有するものであることも好ましい。
【００１２】
前記小胞体は、ｐＨ感受性を有するものであることも好ましい。
【００１３】
前記小胞体は、表面を化学修飾されたものであることも好ましい。
【発明の効果】
【００１４】
本発明は、機能性物質を空気中にいったん放出したうえで人体の皮膚等に満遍なく供給することができ、且つ、人体に到達する前に機能性物質が変性することを抑制することができるという効果を奏する。
【図面の簡単な説明】
【００１５】
【図１】本発明の実施形態１の機能性微粒子放出装置を示す概略図である。
【図２】同上の機能性微粒子放出装置で用いるリポソームの概略図である。
【図３】（ａ）−（ｆ）は、機能性微粒子を生成する手順を順に示す概略図である。
【図４】同上の機能性微粒子を含む微粒子液の概略図である。
【図５】（ａ）−（ｃ）は、同上の機能性微粒子が膜融合する様子を順に示す概略図である。
【図６】本発明の実施形態２の機能性微粒子放出装置を示す概略図である。
【図７】本発明の実施形態３の機能性微粒子放出装置を示す概略図である。
【図８】（ａ）、（ｂ）は同上の機能性微粒子が温度変化により崩壊する様子を順に示す概略図である。
【図９】（ａ）−（ｃ）は同上の機能性微粒子が温度変化により崩壊する他の様子を順に示す概略図である。
【図１０】（ａ）、（ｂ）は同上の機能性微粒子がｐＨ変化により崩壊する様子を順に示す概略図である。
【図１１】（ａ）、（ｂ）は同上の機能性微粒子が化学修飾によって標的部位に送達される様子を順に示す概略図である。
【発明を実施するための形態】
【００１６】
本発明を、添付図面に示す実施形態に基づいて説明する。図１には、本発明の実施形態１の機能性微粒子放出装置を示している。以下においては、本実施形態の機能性微粒子放出装置の基本的な構造について説明する。
【００１７】
本実施形態の機能性微粒子放出装置は、溶液２が供給される筒型の液体搬送部４と、液体搬送部４の先端部分である放電電極６と、放電電極６の先端と対向する位置に配される電極部８と、放電電極６と電極部８との間に電圧を印加する電圧印加部１０とを備えている
本実施形態では、溶液２に圧力を作用させて液体搬送部４の先端部分である放電電極６の先端にまで溶液２を搬送する加圧手段を備えている。この加圧手段は、液体搬送部４内の水頭圧により溶液２に圧力を作用させ、放電電極６の先端にまで溶液２を搬送するものである。液体搬送部４の内径は、放電電極６の先端孔７を除いては毛細管現象が発生しない大きさに設けている。先端孔７の孔径は、その先端において溶液２が表面張力により液玉状態を保持する大きさに設けている。
【００１８】
図中の符号１２は、溶液補給用のタンクである。このタンク１２内に溜められる溶液２を、マイクロポンプ等のポンプ１４によって液体搬送部４内に補給する。液体搬送部４内には水位センサ１６が配されており、この水位センサ１６の高さに溶液２の液位を保つようにポンプ１４が制御される。ここで保たれる溶液２の液位は、放電電極６の先端に所定量で液玉を形成するための液位（即ち、所定量の液玉を形成するための水頭圧を与えるための液位）として、設定される。
【００１９】
本実施形態の機能性微粒子放出装置では、液体搬送部４先端の放電電極６に溶液２が供給され、所定量で液玉が形成された状態で、電圧印加部１０によって放電電極６に電圧を印加する。より具体的には、放電電極６がマイナス電極となるように、放電電極６と電極部８との間で所定の電圧を印加する。この電圧印加により、放電電極６の先端に保持された液玉状の溶液２が静電霧化によって微粒子液２００（図４参照）となり、外部にむけて放出される。微粒子液２００の粒径は、溶液２に作用させる圧力（即ち、液体搬送部４中での溶液２の液位の設定）、先端孔７の孔径、印加電圧等の設定によって制御可能である。なお、ここでは電極部８を備えているが、電極部８を備えずとも溶液２に電圧を印加することで、静電霧化による微粒子化は可能である。
【００２０】
また、溶液２を微粒子化して放出するための放出手段も、静電霧化を利用する方式に限定されない。つまり、超音波振動によって溶液２を微粒子化して放出する方式、スプレー式で溶液２を微粒子化して放出する方式、発泡により溶液２を微粒子化して放出する方式等の、他の方式も採用可能である。これらの方式の放出手段を用いた場合の具体的な構成については、他の実施形態として後述する。
【００２１】
次に、微粒子化に供される溶液２について説明する。ここでの溶液２は、機能性物質１８を小胞体２０に内包して生成した機能性微粒子１００を、さらに液体２２と混合させたものである。機能性物質１８は、生体に対して美容・健康の作用を及ぼす物質であり、具体的には、アミノ酸、ペプチド、タンパク等に加えて、バナジウム、亜鉛等の金属が挙げられる。液体２２としては水等を用いる。
【００２２】
小胞体２０は、外界中の酸素やラジカルと機能性物質１８が反応することを抑制するものであり、生体親和性の高い素材として、例えばリポソームが好適に用いられる。以下においては、機能性物質１８がアミノ酸であり、これを内包する小胞体２０がリポソームから成る場合を例に挙げて説明する。
【００２３】
図２には、小胞体２０をなすリポソームを示している。リポソームは、生体成分であるリン脂質により構成されるので、生体適合性に優れ、毒性も低いものとなる。リポソームは脂質二重膜からなり、その構造中に親水部２４と疎水部２６を有し、大きな内容積を有するものであるから、親疎水性や分子量において幅広い範囲の機能性物質１８を封入可能となる。リポソームに用いる脂質の種類や組成比、サイズは適宜制御可能であり、これによって小胞体２０の表面電荷や膜流動性が制御される。
【００２４】
下記の［化１］には、リポソームを構成するリン脂質の一例として、ホスファチジルコリンの構造を示している。脂質の種類としては、ホスファチジルコリン以外に、スフィンゴミエリン、ジセチルホスフェート、ホスファチジル酸、ホスファチジルセリン、ステアリルアミン等の脂質を、単独あるいは組み合わせて使用することができる。
【００２５】
【化１】
2013116225.tif 000003
【００２６】
次に、アミノ酸である機能性物質１８を、リポソームである小胞体２０に封入する手段について説明する。封入手段としては、逆相法、水和法、超音波処理法、エタノール注入法、エーテル注入法、界面活性剤法、凍結・溶解法、加温法、多価アルコール法、メカノケミカル法、脂質溶解法、噴霧乾燥法等の多様な手段が用いられる。
【００２７】
図３には、前記手段のうち逆層法の手順を（ａ）−（ｆ）の順に示している。図３（ａ）に示すように、まずリポソームの原料である脂質を有機溶媒に溶解させ、これに対して、機能性物質１８が溶解した溶液３０を図３（ｂ）のように加える。そして、図３（ｃ）のように超音波処理で全体を乳化させ、エバポレータを用いて図３（ｄ）のように前記有機溶媒を除去し、次いで、ボルテックスを用いて図３（ｅ）のように転相を生じさせる。これにより、図３（ｆ）のように機能性物質１８を小胞体２０で内包した機能性微粒子１００（即ち、アミノ酸をリポソームで内包したもの）が得られる。
【００２８】
アミノ酸以外の機能性物質１８に対しても、同様の手段によってリポソームに内包することができる。機能性物質１８が親水性である場合には、図３（ｆ）のように、リポソームのリン脂質カプセルの内側である内水相に機能性物質１８が位置される。一方、機能性物質１８が疎水性である場合には、リポソームのリン脂質膜内に機能性物質１８が位置される。
【００２９】
これらの機能性微粒子１００を混合した溶液２が、本実施形態の機能性微粒子放出装置のタンク１２内に貯蔵され、タンク１２内から放電電極６へと順次搬送される。搬送された溶液２は、放電電極６の先端部にて静電霧化され、図４に示すような機能性微粒子１００を含む微粒子液２００として、外部空間に放出される。
【００３０】
なお、溶液２中に含まれる機能性微粒子１００は、粒径が２５ｎｍ程度であるため、本実施形態では、２００〜３００ｎｍ程度の粒径で微粒子液２００が生成されるように、液体搬送部４内で溶液２に作用する水頭圧等を設定している。そのため、微粒子液２００は多数の機能性微粒子１００を含んだ状態で生成及び放出される。
【００３１】
外部空間に放出された微粒子液２００は、空気中を漂って拡散されたうえで、人体の肌表面等にまで到達する。このとき機能性物質１８は、その周囲をリポソームからなる小胞体２０で囲まれた状態にあり、さらに小胞体２０の周囲は、水である液体２２によって囲まれた状態にある。したがって、人体に到達するまでの間に機能性物質１８が空気中の酸素、ラジカル等と反応して変性することや、液体２２中の酸素、ラジカル等と反応して変性することが抑制される。
【００３２】
換言すると、この微粒子液２００によって機能性物質１８が空気中を搬送されていく際に、空気中の酸素等の成分と機能性物質１８との間には、液体２２及び小胞体２０が存在する。機能性物質１８は、これら液体２２や小胞体２０に覆われることで、空気中の酸素等の成分に接触して反応することが抑制される。また、液体２２中の酸素等の成分と機能性物質１８との間には、小胞体２０が存在する。機能性物質１８は、この小胞体２０に覆われることで、液体２２中の酸素等の成分に接触して反応することも抑制される。
【００３３】
ここで、小胞体２０をなすリポソームは、酸素との間で反応を生じるものではない。また、リポソームの一部とＯＨラジカルとは反応を生じ得るが、この反応によってリポソームが分解されるのでなく、リポソームの一部にＯＨ等が付着した安定的な状態となる。そのため、空気中を搬送される際に、リポソーム内の機能性物質１８は安定的な状態に保護される。
【００３４】
空気中を浮遊した微粒子液２００が人体に付着すると、微粒子液２００中に含まれる多数の機能性微粒子１００は、肌表面から細胞間に浸透してゆく。肌の最外層である角質層には疎水性の脂質等が存在するが、前述の如く、機能性微粒子１００は親水部２４と疎水部２６を併せ持つリポソームで覆われたものであるから、肌表面からの浸透も効率的に行われる。
【００３５】
細胞間に浸透した機能性微粒子１００は、細胞間に貯留されたうえで徐々に放出あるいは膜融合を生じ、細胞内に機能性物質１８を供給する。図５には、膜融合の進行を（ａ）−（ｃ）の順で示している。リポソームを構成するリン脂質二重膜は、人間の細胞膜３２と同様の構造を有している。そのため、機能性微粒子１００のリポソームが細胞膜３２に接触すると図５に示すような膜融合を生じ、細胞内に機能性物質１８を供給する。
【００３６】
このように、本実施形態の機能性微粒子放出装置では、アミノ酸等の機能性物質１８をリポソームからなる小胞体２０に内包し、これを更に液体２２中に含ませたミスト状の微粒子液２００として空気中に放出する。微小径である微粒子液２００は空気中に長時間浮遊し、空気中を拡散されたうえで人体の皮膚等に万遍なく付着する。この拡散中において、機能性物質１８が酸素、ラジカル等と反応することは、これを覆う小胞体２０や液体２２によって抑制される。つまり、微粒子液２００中の機能性物質１８は、外界中の物質との反応による変性を抑制しながら空気中を漂って人体の肌面にまで搬送され、肌面に付着した後は、小胞体２０が細胞間に貯留されたうえで徐々に、細胞内への放出あるいは細胞膜との膜融合によって細胞内へと送り込まれる。
【００３７】
図６には、本発明の実施形態２の機能性微粒子放出装置を示している。本実施形態では、実施形態１と同様の溶液２を基にして微粒子液２００を生成するのであるが、そのための手段として、実施形態１のような静電霧化方式でなく、超音波振動によって溶液２を微粒子化して放出する。以下においては、実施形態１と同様の構成については同一符号を付して詳しい説明を省略する。
【００３８】
本実施形態の機能性微粒子放出装置は、溶液２が貯め置かれるタンク４０と、このタンク４０から溶液２が供給される液溜り部４２と、液溜まり部４２の底面に設置される超音波発生器４４と、液溜まり部４２から延伸されるミスト流路４６とを具備する。ミスト流路４６の下流端には、放出口４８が形成される。
【００３９】
このような超音波方式によっても、溶液２を微粒子化することで微粒子液２００を生成し、外部に放出して空気中を拡散させたうえで、目的箇所に到達させることができる。このとき、微粒子液２００中の機能性物質１８が酸素、ラジカル等と反応することは、実施形態１と同様、小胞体２０や液体２２によって抑制される。そして、実施形態１と同様、肌面に付着した後は小胞体２０の膜融合等によって、機能性物質１８を細胞内へと送り込む。
【００４０】
図７には、本発明の実施形態２の機能性微粒子放出装置を示している。本実施形態では、実施形態１，２と同様の溶液２を基にして微粒子液２００を生成するのであるが、そのための手段として、スプレー式で溶液２を微粒子化して放出する。以下においては、実施形態１，２と同様の構成については同一符号を付して詳しい説明を省略する。
【００４１】
本実施形態の機能性微粒子放出装置は、液溜まり部４２から溶液２を送り出す液路５０を延設し、この液路５０の下流端にスプレーノズル５２を設けている。液路５０途中にはバルブ５４を介在させている。また、液溜り部４２に対して上方から外気を導入するエア供給路５６を備え、エア供給路５６中に加圧ポンプ５８を介在させている。タンク４０から溜り部４２に供給された溶液２は、加圧ポンプ５８により送り込まれたエアで加圧され、開弁されたバルブ５４を通じてスプレーノズル５２に送り込まれることで、微粒子化されて外部に放出される。このようなスプレー方式によっても、微粒子液２００を生成して外部に放出し、空気中を拡散させたうえで目的箇所に到達させることができる。
【００４２】
以上のように、溶液２を微粒子化するための機構としては、例えば実施形態１−３に示すような機構が採用可能である。
【００４３】
以下においては、小胞体２０の変形例について述べる。これら小胞体２０の変形例が、実施形態１−３のいずれの機能性微粒子放出装置でも採用可能であることは勿論である。
【００４４】
既述の如く、リポソームからなる小胞体２０は、脂質の種類や組成を制御することで、表面電荷が制御可能である。リポソーム同士を同極に帯電させることで分散安定性が増大し、目的部位に到達する前に凝縮を生じることが抑制される。
【００４５】
リポソームの表面電荷は、目的部位に応じて制御することも好ましい。例えば、気道内に機能性物質１８を供給したい場合には、気道内部の表面が正帯電していることからリポソーム表面を負帯電させることが好ましい。正帯電の脂質としてはステアリルアミン、中性の脂質としてはホスファチジルコリン、負帯電の脂質としてはジセチルホスフェート・ホスファチジルセリン等を用いることができる。
【００４６】
また、リポソームからなる小胞体２０に、所定温度に至ればリン脂質を崩壊させるような温度感受性を付与することも可能である。このような温度感受性を与える手段としては、リン脂質によって相転移温度を制御することや、リポソーム表面に温度応答性高分子６０を導入することが挙げられる。図８には、温度変化によるリポソーム崩壊の様子を概略的に示している。リポソームは構成脂質の相転移温度に至ると膜の構造が乱れるので、図８（ｂ）に示すように、内封した機能性物質１８が漏出する。
【００４７】
例えば、脂質がジパルミトイルホスファチジルコリンである場合、内封した機能性物質１８が約４２℃にて漏出する。人体の肌の温度は３６℃付近であるから、リポソームの相転移温度を約３６℃に設定すれば、大気中に放出されてから肌表面に到達するまではリポソームの形状を保ち、到達後にリポソーム内の機能性物質１８を漏出させることができる。これにより、機能性物質１８の効果が有効に発揮される。
【００４８】
図９に示すように、化学結合等の手法を用いて温度応答性高分子６０を導入したリポソームの場合には、温度によって親疎水性が変化する高分子の性質を利用し、この高分子化合物の下限臨界溶液温度（ＬＣＳＴ）でリポソームを崩壊させることができる。温度応答性高分子６０は、ある温度では図９（ａ）のように水に溶解して広がり、加温によって、図９（ｂ）のように水に溶解できずに収縮するようになり、膜が不安定化することで図９（ｃ）のようにリポソームが崩壊する。
【００４９】
また、リポソームからなる小胞体２０に、所定ｐＨに至ればリン脂質を崩壊させるようにｐＨ感受性を付与することも可能である。図１０（ａ）に示すリポソームは、荷電により安定化した状態にある。リポソーム構成脂質としてホスファチジルエタノールアミンを用いた場合、ｐＨ変化により電気的な反発力が低下するとホスファチジルエタノールアミンが逆ミセルを形成する。これにより、図１０（ｂ）に示すようにリポソームの構造が崩壊し、内封された機能性物質１８が漏出する。
【００５０】
人体の肌表面はｐＨ４．５〜６．５の弱酸性であるから、この範囲内又は近傍のｐＨで逆ミセルを形成するようにホスファチジルエタノールアミンを設定することで、大気中に放出されて肌表面に到達するまではリポソームの形状を保ち、到達後にリポソーム内の機能性物質１８を漏出させることができる。これにより、機能性物質１８の効果が有効に発揮される。
【００５１】
また、リポソームからなる小胞体２０の表面を、化学修飾することも可能である。図１１には、表面にリガンド（細胞認識部位）６２を修飾したリポソームを示している。細胞には、特異的なレセプター６４を発現している場合があり、このレセプター６４に対応したリガンド６２をリポソーム表面に結合させることで、機能性物質１８が部位特異的に送達される。機能性物質１８を特異的に送達させる部位としては、毛穴や汗腺等を含む皮膚、眼や鼻等の粘膜、肺、毛髪等が挙げられる。リポソームの種類ごとに好ましい標的部位が存在し、好ましい標的部位に特異的に送達させることで、機能性物質１８の効果を有効に発揮させることができる。
【００５２】
例えば皮膚を標的部位とした場合、経皮吸収経路は主に細胞ルート、細胞間隙ルート、附属器ルートが挙げられる。細胞ルートは角質細胞と細胞間隙脂質を繰り返し浸透するものであり、その点が経皮吸収の大きな障害になると考えられる。これに対して、細胞間隙ルートで経皮吸収させることを想定すれば、リポソームの粒径は、細胞間隙の大きさである０．１μｍ以下であることが望ましい。毛穴、汗腺等の附属器ルートの場合は、有効面積が小さい一方で、透過率が非常に高いという利点や、比較的大きなサイズの物質が透過可能であるという利点がある。そのため、標的が皮膚の附属器ルートである場合は、リポソームの粒径はそれほど制約されない。
【００５３】
粘膜を標的部位とした場合、粘膜は吸収が容易であるという性質を有することから、特に鼻粘膜であれば分子量１０００程度までは透過が可能である。また、鼻腔内には粒径が５μｍ以上の物質が捕捉されやすいため、リポソームの粒径を５μｍ以上にすることで鼻粘膜に送達させやすくなる。これに対して、肺を標的部位とした場合には、リポソームの粒径は１〜２μｍ程度に設定することが好ましい。
【００５４】
なお、実施形態１−３の機能性微粒子放出装置は、機能性物質１８を小胞体２０で覆った機能性微粒子１００をさらに微粒子液２００中に含ませて外部に放出するものであるが、機能性微粒子１００そのものを超音波振動等の手段で外部に放出してもよい。この場合、機能性物質１８を覆う小胞体２０は、例えば生体吸収性ポリマーであるＰＬＧＡ（乳酸とグリコール酸の共重合体）等を用いて形成することが好ましい。このようにした場合も、微小径である機能性微粒子１００は空気中に長時間浮遊し、空気中で拡散されたうえで人体に万遍なく付着する。この拡散中において、機能性物質１８が酸素、ラジカル等と反応することは、この機能性物質１８を覆う小胞体２０によって抑制される。
【００５５】
以上、説明したように、本発明の実施形態の機能性微粒子放出装置は、機能性微粒子１００を放出する放出手段を備えた機能性微粒子放出装置であって、機能性微粒子１００は、外界中の少なくとも酸素又はラジカルとの反応を抑制する小胞体２０に機能性物質１８を内包したものである。これにより機能性物質１８は、外界の物質との反応で変性することを抑制しながら空気中を浮遊し、そのうえで人体に付着することにより、人体に効果的に供給される。
【００５６】
また、機能性微粒子１００は、液体２２中に混合された状態で放出手段に供給され、放出手段は、機能性微粒子１００を含む液体２２を、微粒子液２００として空気中に放出するものである。これにより、機能性物質１８は更に液体２２によって保護された状態で空気中を浮遊し、そのうえで人体に付着することにより、人体に効果的に供給される。
【００５７】
また、小胞体２０は、生体親和性の高い素材からなる。これにより、機能性微粒子１００が人体に付着した後は、小胞体２０が細胞膜と膜融合することによって機能性物質１８を細胞内へと効果的に送り込むことが可能となる。
【００５８】
そして、小胞体２０は、表面電荷を有するものであることが好ましい。この表面電荷を制御することにより、機能性微粒子１００の凝縮を抑制することや、目的部位に効率的に到達させることが可能となる。
【００５９】
また、小胞体２０は、温度感受性を有するものであることも好ましい。これにより、標的部位に到達するまでは小胞体２０の形状を保ち、到達後の温度変化によって小胞体２０を崩壊させ、機能性物質１８を漏出させることが可能となる。
【００６０】
また、小胞体２０は、ｐＨ感受性を有するものであることも好ましい。これにより、標的部位に到達するまでは小胞体２０の形状を保ち、到達後のｐＨ変化によって小胞体２０を崩壊させ、機能性物質１８を漏出させることが可能となる。
【００６１】
また、小胞体２０は、表面を化学修飾されたものであることも好ましい。これにより、機能性微粒子１００を部位特異的に送達することが可能となる。
【００６２】
以上、本発明を添付図面に示す実施形態に基づいて説明したが、本発明は前記各例の実施形態に限定されるものではなく、本発明の意図する範囲内であれば、各例において適宜の設計変更を行うことや、各例の構成を適宜組み合わせて適用することが可能である。
【符号の説明】
【００６３】
２  溶液
１８  機能性物質
２０  小胞体
２２  液体
１００  機能性微粒子
２００  微粒子液
【図１】
2013116225.tif 000004
【図２】
2013116225.tif 000005
【図３】
2013116225.tif 000006
【図４】
2013116225.tif 000007
【図５】
2013116225.tif 000008
【図６】
2013116225.tif 000009
【図７】
2013116225.tif 000010
【図８】
2013116225.tif 000011
【図９】
2013116225.tif 000012
【図１０】
2013116225.tif 000013
【図１１】
2013116225.tif 000014